(57)【特許請求の範囲】
【請求項１】
布材からなり、物品を覆い被せるための緩衝材において、前記緩衝材の四隅から中心に向かって、対角線上に４本の切り込みを設けたことを特徴とする緩衝材。
【請求項２】
前記緩衝材を前記物品に覆い被せた状態で固定するための固定手段を備えたことを特徴とする請求項１記載の緩衝材。
【請求項３】
前記固定手段が、面ファスナ、ベルト、ボタンであることを特徴とする請求項２記載の緩衝材。
【請求項４】
裏側にはカバー部材が設けられることを特徴とする請求項１記載の緩衝材。
【請求項５】
布材として毛布、タオルケットを利用することを特徴とする請求項１記載の緩衝材。
【発明の詳細な説明】
【０００１】
【発明の属する技術分野】
本発明は、物品の回収時、輸送時等において使用する緩衝材に関する。
【０００２】
【従来の技術】
従来、この種の緩衝材としては、毛布、タオルケットの古材を用いている。緩衝材とこの緩衝材で覆われる物品のずれを防止するために伸縮性を持たせた腹巻形状の緩衝材も使用されている。
【０００３】
【発明が解決しようとする課題】
これらの緩衝材は古材をそのままの形状で使用することから、これで覆われる物品、例えば、不要場所からの回収品に良好に固定することができず運搬途中の振動等によりにずれてしまい、擦れて物品に傷が付くという不具合がある。
【０００４】
また、腹巻形状の緩衝材は腹巻形状と伸縮性のために上部から広げながら対象物品を包み込む形で引っ張り下げるための力が必要であり、物品の大きさによっては１人で梱包することが困難な場合があるという不具合がある。さらに、腹巻形状の場合は上面をカバーすることが難しいことにより上面に別の緩衝材を用いる場合がある。
【０００５】
本発明の目的は、従来の緩衝材の欠点を克服して、物品への覆い被せを容易にし、緩衝材と物品との擦れを防止できる緩衝材を提供することにある。
【０００６】
【課題を解決するための手段】
前記課題を解決するために、請求項１記載の発明では、布材からなり、物品を覆い被せるための緩衝材において、前記緩衝材の四隅から中心に向かって、対角線上に４本の切り込みを設けたことを最も主要な特徴とする。
【０００７】
請求項２記載の発明では、請求項１において、前記緩衝材を前記物品に覆い被せた状態で固定するための固定手段を備えたことを主要な特徴とする。
【０００８】
請求項３記載の発明では、請求項２において、前記固定手段が、面ファスナ、ベルト、ボタンであることを主要な特徴とする。
【０００９】
請求項４記載の発明では、請求項１において、裏側にはカバー部材が設けられることを主要な特徴とする。
【００１０】
請求項５記載の発明では、請求項１において、布材として毛布、タオルケットを利用することを主要な特徴とする。
【００１１】
【発明の実施の形態】
図１は本発明による緩衝材を示す平面図である。この緩衝材１は、主として、使い古された、すなわち、正規の使用目的を終えた毛布、タオルケット等の布剤を利用している。もちろん、新品の毛布、タオルケットの使用もあり得る。緩衝材１には４隅から中心に向かって対角線上に切り込み２が設けられ、この緩衝材１によって覆われる物品（被着体）への被着を容易にしている。さらに、切り込みを入れない固定部分３を、緩衝材１を被せる物品に合わせることによって適切な緩衝材とすることが可能である。
【００１２】
したがって、毛布、タオルケットの布材からなる古材を緩衝材としてそのままの形状で使用することによりこの緩衝材を被覆すべき物品、例えば、回収品にうまく固定することができず運搬途中の振動等によりにずれてしまい、擦れて傷が付くという不具合が防止される。ずれを防止するために伸縮性を持たせた腹巻形状の緩衝材のごとく、腹巻形状と伸縮性のために上部から広げながら対象物を包み込む形で引っ張り下げるための力が必要であり回収品の大きさにより１人で梱包することが困難な場合があるという不具合も改善される。さらに、腹巻形状の場合のごとく、上面をカバーする別の緩衝材を必要としない。
【００１３】
図２は物品に本発明による緩衝材を被せて巻き付け固定する第1の実施の形態を示す正面図である。固定部分３に固定手段（図示せず）を付加することにより物品４に巻き付けて固定することを可能としている。
【００１４】
図３は物品に本発明による緩衝材を巻き付け固定する第２の実施の形態を示す斜視図である。この実施の形態では物品４の上面が部分的に適宜な幅で緩衝材１によって覆われている。したがって、上面をカバーする別の緩衝材を必要としない。
【００１５】
図４は物品に本発明による緩衝材を巻き付け固定する第３の実施の形態を示す斜視図である。この実施の形態では緩衝材１はその左右側を外側にして物品４に巻き付けられている。
【００１６】
図５は緩衝材に固定手段として固定ベルトを付加した第４の実施の形態を示す斜視図である。この実施の形態では固定手段として２本の固定ベルト５が示されているが、その数は必要に応じて増減可能である。固定ベルト５の数を増やせば、より良好な固定効果を期待することができる。この場合に、固定ベルト５の固定にボタン止め、ベルト止め、マジックテープを選択することによって、より簡単な操作で固定できるようにしたり物品に密着固定させたりすることが可能である。
【００１７】
したがって、従来のように、緩衝材とは別にベルト、紐等の固定部材を必要とせず、それらの部材を準備しておかなければならないという不具合が解消される。また、緩衝材に伸縮性を持たせるための専用の材料は必要ないので、作成コストが安価となる。さらに、従来の帯状の緩衝材は梱包作業においては簡単であるが、例えば複写機の給紙トレイのように段数が多い場合には固定できないトレイが輸送途中の振動により定位置から飛び出してしまう恐れがあり、これを防止するために別の緩衝材が必要であったが、この不都合も解消される。
【００１８】
図６は第４の実施の形態の変形例を示す要部斜視図である。この実施の形態では、固定ベルト５を緩衝材１に金具６で固定している。緩衝材１はその裏側がカバー部材７で覆われ、これによって緩衝材１と被覆される物品との接触よって生じる擦れ傷を防止している。カバー部材７で物品を覆うことにより擦れ傷を防止することが可能となることから、毛布、タオルケットを利用した緩衝材１を使用する用途が広がる効果がある。新規材料で製作されているエアキャップ利用、収縮式緩衝部材、バンドを含む専用の緩衝材を利用する必要がない。
【００１９】
固定用ベルトの止め部分にカバー部材がない従来の緩衝材において発生していた擦れ傷が防止される。
【００２０】
【発明の効果】
上述したごとく、請求項１記載の発明によれば、布材からなり、物品を覆い被せるための緩衝材において、この緩衝材の四隅から中心に向かって、対角線上に４本の切り込みを設けたので、回収品等の被着体のサイズに対して柔軟に密着させることが可能となることから緩衝材としての効果がより発揮され、また、簡単に装着可能なことから作業に手間がかからず装着作業に要する労力削減に貢献できる。
【００２１】
請求項２記載の発明によれば、前記緩衝材を前記物品に覆い被せた状態で固定するための固定手段を備えたので、回収品等の被着体に巻き付けて緩衝材を固定することが可能であるので、運搬時の振動等によるズレを防止でき、緩衝効果がより発揮できる。
【００２２】
請求項３記載の発明によれば、前記固定手段が、面ファスナ、ベルト、ボタンであるので、より広範な被着体に対応可能となることから１つのサイズでの利用用途が広がり数多くの種類を作成しておく必要がなくなる効果がある。
【００２３】
請求項４記載の発明によれば、裏側にはカバー部材が設けられて被着体との擦れ傷が防止できるので、より広範な被着体に対応可能となることから１つのサイズでの利用用途が広がり数多くの種類を作成しておく必要がなくなる効果がある。
【００２４】
請求項５記載の発明によれば、布材として毛布、タオルケットを利用するので、毛布、タオルケットの古材を緩衝材として使用すればこれらの古材の用途が広がり資源を有効に活用することができることから省資源、環境保全に貢献することができる。
【図面の簡単な説明】
【図１】本発明による緩衝材を示す平面図である。
【図２】物品に本発明による緩衝材を被せて巻き付け固定する第１の実施の形態を示す正面図である。
【図３】物品に本発明による緩衝材を巻き付け固定する第２の実施の形態を示す斜視図である。
【図４】物品に本発明による緩衝材を巻き付け固定する第３の実施の形態を示す斜視図である。
【図５】緩衝材に固定手段として固定ベルトを付加している第４の実施の形態を示す斜視図である。
【図６】第４の実施の形態の変形例を示す要部斜視図である。
【符号の説明】
１  緩衝材
２  切り込み
３  固定部分
４  物品
５  固定ベルト（固定手段）
６  金具
７  カバー部材
【図１】
0003989280.tif 000002
【図２】
0003989280.tif 000003
【図３】
0003989280.tif 000004
【図４】
0003989280.tif 000005
【図５】
0003989280.tif 000006
【図６】
0003989280.tif 000007